(57)【特許請求の範囲】
【請求項１】
所定エリアへの小動物の侵入を検知したときに、超音波を出力する小動物侵入防止器であって、
各々が超音波の出力方向を互いに異なる方向にし、かつ、超音波を出力するタイミングを互いに異ならせている複数の超音波出力部と、複数の超音波出力部の各々に対応した複数の検知部とを備え、複数の検知部のいずれかが小動物を検知したときには、対応した超音波出力部のみから超音波を出力する構成となっており、
上記複数の超音波出力部の各々は、対応した検知部が小動物を検知したときに、他の超音波出力部からすでに出力している超音波と重ならないように、出力を開始するタイミングを所定時間遅らせていることを特徴とする小動物侵入防止器。
【請求項２】
請求項１において、
上記複数の超音波出力部の各々の超音波の出力方向を可変にしたことを特徴とする小動物侵入防止器。
【請求項３】
請求項１または２において、
１つの検知部に対して、複数の超音波出力部を備えていることを特徴とする小動物侵入防止器。
【請求項４】
所定エリアへの小動物の侵入を検知したときに、超音波を出力する小動物侵入防止器であって、
各々が超音波の出力方向を互いに異なる方向にし、かつ、超音波を出力するタイミングを互いに異ならせている複数の超音波出力部と、複数の超音波出力部の各々に対応した複数の検知部とを備え、１つの検知部に対して複数の超音波出力部を備えた構成となっており、
上記複数の超音波出力部の各々は、対応した検知部が小動物を検知したときに、他の超音波出力部からすでに出力している超音波と重ならないように、出力を開始するタイミングを所定時間遅らせていることを特徴とする小動物侵入防止器。
【請求項５】
請求項４において、
上記複数の超音波出力部の各々の超音波の出力方向を可変にしたことを特徴とする小動物侵入防止器。
【発明の詳細な説明】
【０００１】
【発明の属する技術分野】
本発明は、超音波を出力することによって、猫、犬、鳥などの小動物の侵入を防ぐようにした小動物侵入防止器に関する。
【０００２】
【従来の技術】
従来から、猫、犬、鳥などの小動物が、住居の敷地内や砂場などへ侵入することを防ぐ目的で、検知手段と超音波出力手段とを備えた小動物侵入防止器が開発されている。
【０００３】
小動物侵入防止器は、検知手段であるセンサが、所定の検知エリア内に小動物が侵入したことを検知すると、超音波を出力することによって、小動物が付近に近づかないようにして、糞害などを防いでいる。超音波は、人間の耳には聞こえないので、人間が不快に感じることがない。
【０００４】
【発明が解決しようとする課題】
ところが、上記従来の小動物侵入防止器では、超音波の出力範囲は前方に形成されるのみであり、センサの検知範囲と比べて狭いため、センサが小動物を検知し、超音波を出力しても、その超音波が小動物に届かず、侵入防止効果が充分でない場合があった。
【０００５】
本発明は、このような事情を考慮してなされたものであり、超音波の出力範囲を広げて、小動物の侵入防止効果を上げることを目的としている。
【０００６】
【課題を解決するための手段】
上記目的を達成するために、本発明の請求項１に記載の小動物侵入防止器は、各々が超音波の出力方向を互いに異なる方向にし、かつ、超音波を出力するタイミングを互いに異ならせている複数の超音波出力部と、複数の超音波出力部の各々に対応した複数の検知部とを備え、複数の検知部のいずれかが小動物を検知したときには、対応した超音波出力部のみから超音波を出力する構成となっており、複数の超音波出力部の各々は、対応した検知部が小動物を検知したときに、他の超音波出力部からすでに出力している超音波と重ならないように、出力を開始するタイミングを所定時間遅らせていることを特徴とする。請求項２では、請求項１において、複数の超音波出力部の各々の超音波の出力方向を可変にしていることを特徴とする。請求項３では、請求項１又は請求項２において、１つの検知部に対して、複数の超音波出力部を備えていることを特徴とする。
【０００７】
請求項４では、各々が超音波の出力方向を互いに異なる方向にし、かつ、超音波を出力するタイミングを互いに異ならせている複数の超音波出力部と、複数の超音波出力部の各々に対応した複数の検知部とを備え、１つの検知部に対して複数の超音波出力部を備えた構成となっており、複数の超音波出力部の各々は、対応した検知部が小動物を検知したときに、他の超音波出力部からすでに出力している超音波と重ならないように、出力を開始するタイミングを所定時間遅らせている。請求項５では、請求項４において、複数の超音波出力部の各々の超音波の出力方向を可変にしていることを特徴とする。
【０００８】
【発明の実施の形態】
以下に、本発明の実施の形態について、図面とともに説明する。図１は小動物侵入防止器１による超音波出力範囲の一例を示した図、図２は小動物侵入防止器１の内部構成の一例を示したブロック図である。図１に示すように、本発明の小動物侵入防止器１は、複数の超音波出力部を備えて、各々の超音波の出力方向を、互いに異なる方向にしている。図中、２ａ〜２ｃが各超音波出力部による超音波出力範囲である。ここでは、３つの超音波出力部を備えている場合を示したが、３つに限定されるものではない。
【０００９】
このように、各々の超音波の出力方向が異なる複数の超音波出力部を備えれば、従来に比べて、超音波の出力範囲が広がり、猫などの小動物の侵入防止効果を高めることが出来る。
【００１０】
図２に示すように、小動物侵入防止器１は、センサ回路部１０と、入力判定回路１１と、信号発生回路１２と、複数の超音波出力回路１３ａ〜１３ｄを備えている。ここでは、超音波出力回路１３ａ〜１３ｄを４つ備えている例を示しており、センサ回路１０も４つ（１０ａ〜１０ｄ）備えている。ちなみに、超音波出力回路１３ａ〜１３ｄとセンサ回路１０ａ〜１０ｄは、同数である必要はない。
【００１１】
センサ回路１０ａ〜１０ｄの各々は、所定エリア（センサ検知範囲）に侵入した小動物の熱などを検知する。入力判定回路１１は、センサ回路１０ａ〜１０ｄからの入力電圧や時間によって、小動物検知かノイズによる誤動作かを判定する。信号発生回路１２は、超音波を出力するための信号を発生させる。例えば、２５ｋＨｚの１．５秒間オンと１．５秒間オフの１０秒間の繰り返し信号を発生させる。超音波出力回路１３ａ〜１３ｄの各々は、信号発生回路１２で発生される信号に基づいて超音波を出力する。
【００１２】
すなわち、この構成では、いずれかのセンサ回路１０ａ〜１０ｄにおいて、小動物を検知すると、すべての超音波出力回路１３ａ〜１３ｄから超音波を出力する。
【００１３】
また、複数の超音波出力部（１３ａ〜１３ｄ）の各々は、超音波の出力方向を可変にしている。図３（ａ），（ｂ）には、超音波の出力方向を変化させたときの例を示している。ここでは、超音波出力部は２つである場合を示しており、図中、２ａ，２ｂが、各々の超音波出力範囲である。このように、超音波出力範囲２ａ，２ｂの方向を可変にすれば、設置場所の条件にあった超音波出力範囲２ａ，２ｂが設定でき、小動物の侵入防止効果を高めることが出来る。
【００１４】
図４には、超音波出力部１３ａ，１３ｂからの超音波の出力方向を可変に出来る構成を模式的に示している。ここでは、各々に超音波出力部１３ａ，１３ｂを有した部分を回転させることによって、超音波の出力方向を変えている。
【００１５】
次に、小動物侵入防止器の別の構成について説明する。図５は、小動物侵入防止器１Ａによる超音波出力範囲とセンサ検知範囲の一例を示した図、図２は小動物侵入防止器１Ａの内部構成の一例を示したブロック図である。
【００１６】
小動物侵入防止器１Ａは、複数の超音波出力部の各々に対応した複数の検知部を備えており、複数の検知部のいずれかが小動物を検知したときには、対応した超音波出力部のみから超音波を出力する。図５には、超音波出力部と検知部とが各々４つずつ備わっている場合を示しており、超音波出力範囲２ａとセンサ検知範囲３ａ、超音波出力範囲２ｂとセンサ検知範囲３ｂ、超音波出力範囲２ｃとセンサ検知範囲３ｃ、超音波出力範囲２ｄとセンサ検知範囲３ｄが、各々対応している。
【００１７】
図６に示した小動物侵入防止器１Ａは、いずれかのセンサ回路１０ａ〜１０ｄが小動物を検知すると、その検知したセンサ回路１０ａ〜１０ｄに対応した超音波出力回路１３ａ〜１３ｄからのみ、超音波を出力する構成になっている点で、図２に示した小動物侵入防止器１の構成と異なっている。
【００１８】
したがって、図６における入力判定回路１１は、センサ回路１０ａ〜１０ｄからの入力電圧や時間によって、小動物検知かノイズによる誤動作かを判定するとともに、どのセンサ回路１０ａ〜１０ｄから入力があったかを判断し、超音波を出力する超音波出力回路１３ａ〜１３ｄを決定している。
【００１９】
このように動作することによって、例えば、センサ回路１０ａが小動物を検出した場合であれば、センサ回路１０ａに対応した超音波出力回路１０ａ以外の他の超音波出力回路１３ｂ〜１３ｄは動作しないため、省電力が図れる。
【００２０】
次に、小動物侵入防止器の更に別の構成について説明する。図７に示すように、小動物侵入防止器１Ｂは、１つの検知部（センサ回路１０）に対して、複数（図では２つ）の超音波出力部（超音波出力回路１３ａ，１３ｂ）を備えている。
【００２１】
図７（ａ）は小動物侵入防止器１Ｂを正面から観た図、図７（ｂ）は小動物侵入防止器１Ｂを上方から観た図である。小動物侵入防止器１Ｂの正面には、１つのセンサ回路１０のレンズに対して、２つの超音波出力回路１３ａ，１３ｂのスピーカを備えている。また、ここでは、センサ回路１０が小動物を検知したときに点灯又は点滅する動作表示灯１４を備えている。
【００２２】
このような構成にすれば、図８に示すように、小動物侵入防止器１Ｂによるセンサ検知範囲３と超音波出力範囲２ａ，２ｂは、ほぼ同じ大きさになり、センサ検知範囲３に入った小動物に対して、必ず、超音波を出力することができ、侵入防止効果が高まる。
【００２３】
図９には、小動物侵入防止器１Ｂの内部構成をブロック図で示している。図２に示した小動物侵入防止器１や、図６に示した小動物侵入防止器１Ａとは、センサ回路１０を１つのみ備えて、超音波出力回路１３ａ、１３ｂを２つ備えている点が異なっている。センサ回路１０が小動物を検知すれば、すべての超音波出力回路１３ａ，１３ｂから超音波を出力する。
【００２４】
なお、センサ回路を複数備えて、センサ回路の各々に対して、複数の超音波出力回路を備えるようにしてもよい。その場合、図６に示した小動物侵入防止器１Ａのように、小動物を検出したセンサ回路に対応した複数の超音波出力回路のみから、超音波を出力できる。
【００２５】
次に、小動物侵入防止器の更に別の構成について説明する。小動物侵入防止器１，１Ｂでは、いずれかのセンサ回路１０ａ〜１０ｄ，１０で小動物を検出したとき、小動物侵入防止器１Ａでは、複数のセンサ回路１０ａ〜１０ｄで小動物を検出したときに、複数の超音波出力回路１３ａ〜１３ｄから超音波を出力するが、これらの場合に、複数の超音波出力部１３ａ〜１３ｄの各々は、超音波を出力するタイミングを互いに異ならせるようにする。このように、超音波を出力するタイミングをずらすようにすれば、同時に流れる電流が少なくて済み、省電力化を図ることが出来る。
【００２６】
図１０には、上記動作の例として、図６に示した小動物侵入防止器１Ａの動作を示している。「センサ入力１」があると「超音波出力１」を開始し、その後に「センサ入力２」があると「超音波出力２」を開始するが、「超音波出力１」と「超音波出力２」が重ならないように、「超音波出力２」の開始するタイミングを時間ｔだけ遅らせるようにしている。
【００２７】
【発明の効果】
以上の説明からも理解できるように、本発明の請求項１〜請求項５の各々に記載の小動物侵入防止器は、複数の超音波出力部の各々から超音波を出力し、各々の超音波の出力方向を互いに異なる方向にしているので、従来に比べて、超音波の出力範囲が広がり、猫などの小動物の侵入防止効果が高まる。また、複数の超音波出力部の各々は超音波を出力するタイミングを互いに異ならせているので、同時に流れる電流が少なくて済み、省電力化が図れる。
【００２８】
また、複数の検知部のいずれかが小動物を検知したときには、対応した超音波出力部のみから超音波を出力するので。他の超音波出力部は動作せず、省電力が図れる。特に、請求項２または５では、各々の超音波の出力方向を可変にしているので、設置場所の条件にあった超音波出力範囲が設定でき、小動物の侵入防止効果を高めることが出来る。
【００２９】
請求項３または４では、１つの検知部に対して複数の超音波出力部を備えて、センサ検知範囲と超音波出力範囲とをほぼ同じ大きさにできるので、センサ検知範囲に入った小動物に対して、必ず、超音波を出力することができ、侵入防止効果が高まる。
【図面の簡単な説明】
【図１】本発明の小動物侵入防止器の超音波出力範囲の一例を示す図である。
【図２】本発明の小動物侵入防止器の内部構成の一例を示すブロック図である。
【図３】本発明の小動物侵入防止器の超音波出力範囲の他の例を示す図である。
【図４】本発明の小動物侵入防止器の外観の一例を模式的に示す図である。
【図５】本発明の小動物侵入防止器の超音波出力範囲とセンサ検知範囲の一例を示す図である。
【図６】本発明の小動物侵入防止器の内部構成の他の例を示すブロック図である。
【図７】本発明の小動物侵入防止器の外観の他の例を模式的に示す図である。
【図８】本発明の小動物侵入防止器の超音波出力範囲とセンサ検知範囲の他の例を示す図である。
【図９】本発明の小動物侵入防止器の内部構成の他の例を示すブロック図である。
【図１０】本発明の小動物侵入防止器の超音波の出力タイミングの一例を示す図である。
【符号の説明】
１，１Ａ，１Ｂ        小動物侵入防止器
２ａ〜２ｄ            超音波出力範囲
３，３ａ〜３ｄ        センサ検知範囲
１０，１０ａ〜１０ｄ  センサ回路
１３ａ〜１３ｄ        超音波出力回路
【図１】
0003714113.tif 000002
【図２】
0003714113.tif 000003
【図３】
0003714113.tif 000004
【図４】
0003714113.tif 000005
【図５】
0003714113.tif 000006
【図６】
0003714113.tif 000007
【図７】
0003714113.tif 000008
【図８】
0003714113.tif 000009
【図９】
0003714113.tif 000010
【図１０】
0003714113.tif 000011